(57)【要約】【課題】当該冷蔵庫以外の家電機器の状態に基づいて、冷却制御を行うことにより、より当該冷蔵庫の各ユニットが発生する音によるユーザの不快感を軽減することができる冷蔵庫等を提供する。【解決手段】冷蔵庫であって、家電機器の状態表わす状態情報を取得する状態情報取得手段と、状態情報取得手段により取得された状態情報に基づいて冷蔵庫の音を伴う動作の手順の内容を表わす動作手順情報を取得する動作手順情報取得手段と、動作手順情報に基づき冷蔵庫を制御する制御手段とを有する。【選択図】図４
2020003164.tif 000002
【特許請求の範囲】
【請求項１】
家電機器の状態を表わす状態情報を取得する状態情報取得手段と、
前記状態情報取得手段により取得された前記状態情報に基づいて、冷蔵庫の音を伴う動作の手順の内容を表わす動作手順情報を取得する動作手順情報取得手段と、
前記動作手順情報に基づき、前記冷蔵庫を制御する制御手段とを有することを特徴とする冷蔵庫。
【請求項２】
前記家電機器がテレビであり、前記状態情報は前記テレビが受信する番組のジャンルを表わすジャンル情報を含むことを特徴とする請求項１に記載の冷蔵庫。
【請求項３】
前記動作手順情報取得手段は、前記家電機器から前記冷蔵庫までの距離に基づき、前記動作手順情報を取得することを特徴とする請求項１に記載の冷蔵庫。
【請求項４】
前記動作手順情報取得手段は、前記冷蔵庫が設置された場所の室温に基づき、前記動作手順情報を取得することを特徴とする請求項１に記載の冷蔵庫。
【請求項５】
前記動作手順情報取得手段は、前記冷蔵庫及び前記家電機器が発生する音の大きさに基づいて前記動作手順情報を予め設定されていることを特徴とする請求項１に記載の冷蔵庫。
【請求項６】
前記動作手順情報取得手段は、２以上の前記家電機器からの前記状態情報の組み合わせに基づき、前記動作手順情報を取得することを特徴とする請求項１に記載の冷蔵庫。
【請求項７】
家電機器の状態を表わす状態情報を取得し、
前記状態情報に基づいて冷蔵庫の音を伴う動作の手順の内容を表わす動作手順情報を取得し、
前記動作手順情報に基づき、前記冷蔵庫を制御することを特徴とする冷蔵庫制御方法。
【請求項８】
家電機器の状態に基づく状態情報を取得する状態情報取得手段、
前記状態情報取得手段により取得された前記状態情報に基づき冷蔵庫の音を伴う動作の手順の内容を表わす動作手順情報を取得する動作手順情報取得手段、及び、
前記動作手順情報に基づき、前記冷蔵庫の制御を行う制御手段としてコンピュータを機能させることを特徴とする冷蔵庫制御プログラム。
【発明の詳細な説明】
【技術分野】
【０００１】
本発明は、冷蔵庫、冷蔵庫制御方法、冷蔵庫制御プログラムに関する。
【背景技術】
【０００２】
下記特許文献１には、冷蔵庫につき、光センサを設け周囲の明暗を検知し、周囲が暗い場合に庫内の設定温度を上げ、省エネ運転を行うことができる冷蔵庫が開示されている。
【先行技術文献】
【特許文献】
【０００３】
【特許文献１】特開２００１−９１１２４号公報
【発明の概要】
【発明が解決しようとする課題】
【０００４】
しかしながら、上記冷蔵庫は、冷蔵庫の圧縮機等の各ユニットを動作させ、各ユニットが発生する音がユーザを不快にすることを改善することは考慮していなかった。そこで、本発明は、例えば、当該冷蔵庫以外の家電機器についての状態に基づいて、冷蔵庫制御を行うことにより、冷蔵庫の各ユニットが発生する音に対するユーザの不快感を軽減することができる冷蔵庫等を提供することを目的とする。
【課題を解決するための手段】
【０００５】
本発明の冷蔵庫は、家電機器の状態を表わす状態情報を取得する状態情報取得手段と、状態情報取得手段により取得された状態情報に基づいて冷蔵庫の音を伴う動作の手順の内容を表わす動作手順情報を取得する動作手順情報取得手段と、動作手順情報に基づき、前記冷蔵庫を制御する制御手段有することを特徴とする。
【０００６】
本発明の冷蔵庫制御方法は、家電機器の状態を表わす状態情報を取得し、状態情報に基づいて冷蔵庫の音を伴う動作の手順の内容を表わす動作手順情報を取得し、動作手順情報に基づき、冷蔵庫を制御することを特徴とする。
【０００７】
本発明の冷蔵庫制御プログラムは、家電機器の状態に基づき状態情報を取得する状態情報取得手段、記状態情報取得手段により取得された状態情報に基づいて冷蔵庫の音を伴う動作の手順の内容を表わす動作手順情報を取得する動作手順情報取得手段、及び、動作手順情報に基づき、冷蔵庫の制御を行う制御手段としてコンピュータを機能させることを特徴とする。
【図面の簡単な説明】
【０００８】
【図１】第１の実施形態における冷蔵庫システムの一例を示す図である。
【図２Ａ】第１の実施形態にかかる冷蔵庫の側面の断面図の一例を示す図である。
【図２Ｂ】図２Ａに示す機械室２１７をＡ方向から見た一例を示す図である。
【図３】図１に示す家電機器の制御部の機能的構成の一例を示す図である。
【図４】図１に示す冷蔵庫の制御部の機能的構成の一例を示す図である。
【図５】第１の実施形態における動作手順情報の一例を示す図である。
【図６】第１の実施形態における動作手順との関連付けを行う家電機器を設定するタッチパネル付き液晶パネルの表示画面の一例を示す図である。
【図７】第１の実施形態における冷蔵庫のフローの一例を示す図である。
【図８】第２の実施形態における動作手順情報の一例を示す図である。
【図９】第３の実施形態における制御部の機能的構成について説明するための図である。
【図１０】第３の実施形態における制御部の機能的構成について説明するための図である。
【図１１】第３の実施形態における動作手順情報の一例を示す図である。
【図１２】第３の実施形態における冷蔵庫のフローの一例を示す図である。
【図１３】第４の形態における制御部の機能的構成の一例を示す図である。
【図１４】第４の形態における制御部の機能的構成の一例を示す図である。
【図１５】第４の実施形態における動作手順情報の一例を示す図である。
【図１６】第４の実施の形態における処理のフローについて説明するための図である。
【図１７】第５の実施の形態における動作手順情報の一例を示す図である。
【図１８】第５の実施の形態におけるユーザ就寝場所を設定するタッチパネル付き液晶パネルの表示画面の一例を示す図である。
【発明を実施するための形態】
【０００９】
以下、本発明の第１の実施形態について、図面を参照しつつ説明する。なお、図面については、同一又は同等の要素には同一の符号を付し、重複する説明は省略する。
【００１０】
（第１の実施形態）
【００１１】
図１は、第１の実施形態における冷蔵庫システムの一例を示す図である。図１に示すように、本実施の形態における冷蔵庫システム１００は、冷蔵庫１０１及び当該冷蔵庫１０１とネットワーク１０２を介して接続される１または複数の家電機器１０３を含む。家電機器１０３は、例えば、ラジオ、テレビ、ラジオ、風呂用給湯器、エアコン、洗濯機、電子レンジ、スマートフォン、等の家電に相当する。ネットワーク１０２は、例えば、インターネットやＢｌｕｅｔｏｏｔｈ（登録商標）等に相当にする。
【００１２】
次に、本実施の形態に関連する家電機器１０３の構成の一部の一例について説明する。家電機器１０３は、例えば、制御部１１１、記憶部１１２、通信部１１３、操作部１１４を含む。制御部１１１は、例えばＣＰＵ、ＭＰＵ等であって、記憶部１１２に格納されるプログラムに従って各種の情報処理を実行する。記憶部１１２は、例えばフラッシュメモリやＲＡＭ等であって、制御部１１１によって実行されるプログラムや、各種のデータを保持する。また、記憶部１１２は、制御部１１１のワークメモリとしても動作する。通信部１１３は、インターフェース等であって、ネットワーク１０２を介して、外部機器と通信する。操作部１１４は、例えばボタンやタッチパネル等であって、ユーザの指示操作を受け付けて、当該指示操作の内容を制御部１１１に出力する。表示部１１５は、例えば液晶表示パネルや、有機ＥＬ表示パネル等であって、制御部１１１からの指示に応じて情報を表示する。
【００１３】
なお、上記構成は一例であって、家電機器１０３の構成は上記に限定されるものではなく、上記各部の他に家電機器１０３に応じた各構成（例えば、ラジオ、テレビであれば電波受信部等）を有することはいうまでもない。
【００１４】
次に、本実施形態における冷蔵庫１０１の制御部１２１を中心とした主な構成の一部について説明する。冷蔵庫１０１は、上記家電機器１０３と同様に、例えば、制御部１２１、記憶部１２２、通信部１２３、操作部１２４、表示部１２５を含む。なお、制御部１２１、記憶部１２２、通信部１２３、操作部１２４の主な構成は上記家電機器１０３と同様であるので、説明を省略する。また、冷蔵庫１０１は、圧縮機１２６、ファン１２７、ダンパ１２８、除霜部１２９、製氷部１３０、製氷用給水ポンプ１３１等を含み、それぞれ制御部１２１に接続される。なお、圧縮機１２６等の詳細については後述する。
【００１５】
上記冷蔵庫システム１００の構成は一例であって、本実施の形態はこれに限定されるものではない。例えば、冷蔵庫１０１におけるファン１２７やダンパ１２８の数は複数であってもよい。なお、例えば、ファン１２７は、後述する冷凍室ファン２０７、冷蔵室ファン２０８、凝縮器ファン２２０に相当する。
【００１６】
次に、図２Ａ、及び図２Ｂを用いて本実施形態における冷蔵庫１０１の具体的構成の一例について説明する。図２Ａは、第１の実施形態にかかる冷蔵庫の側面の断面図の一例を示す図である。図２Ｂは、図２Ａに示す機械室２１７をＡ方向から見た一例を示す図である。
【００１７】
冷蔵庫１０１は、例えば、発泡断熱材を充填した断熱箱体２０１を有する。断熱箱体２０１の上部には冷蔵室２０２が設けられている。冷蔵室２０２の下方には、例えば断熱材を充填した仕切壁を介して冷凍室２０３が設けられている。冷凍室２０３の下方には、例えば断熱材を充填した仕切壁を介して野菜室２０４が設けられている。なお、冷蔵室２０２、冷凍室２０３、野菜室２０４の位置関係、サイズ、数等は一例にすぎず、上記に限られるものではない。また、上記冷蔵室２０２、冷凍室２０３、野菜室２０４以外にも所定の温度で貯蔵物を貯蔵する他の貯蔵室を備えるように構成してもよい。
【００１８】
冷凍室２０３は、貯蔵物をあらかじめ設定された温度で冷凍保存するスペースである。冷蔵室２０２は、貯蔵物を冷凍室２０３よりも高温で冷蔵保存し、野菜室２０４は冷蔵室２０２よりも高温に維持して野菜等の貯蔵物を冷蔵保存するためのスペースである。
【００１９】
冷蔵室２０２は、例えば、冷蔵室２０２の左右端でそれぞれ回動可能に支持された一対の扉２１１により開閉される。冷凍室２０３及び野菜室２０４は、例えば、それぞれ収納ケースと一体に形成される引出式の扉２１２、２１３によって開閉される。
【００２０】
冷凍室２０３及び冷蔵室２０２の背面には、ダンパ１２８を介して接続される冷気通路２０５及び冷気通路２０６が設けられている。冷気通路２０５及び冷気通路２０６にはそれぞれ冷気を循環させる冷凍室ファン２０７、冷蔵室ファン２０８が配置される。冷凍室ファン２０７の下方には空気と熱交換して冷気を発生する蒸発器２０９が配置される。また、蒸発器２０９の下方には蒸発器２０９に付着した霜を取り除く（除霜する）ための除霜部１２９が設けられる。除霜部１２９は、例えばヒータであって、除霜部１２９の上面はヒータカバー２１０で覆われている。ヒータカバー２１０によって、除霜水が除霜部１２９上に滴下することによる除霜部１２９の故障、破損等を抑制する。
【００２１】
冷気通路２０５は、冷凍室２０３の背面に設けられる。そして、冷気通路２０５の下部の一部が野菜室２０４の背面に設けられている。冷気通路２０５は、冷凍室２０３に冷気を吐出する開口である吐出口２１４と、冷凍室２０３から冷気通路２０５に冷気が戻る開口である戻り口２１５とを備えている。冷気通路２０６は、冷蔵室２０２の背面に設けられているとともに、冷気を吐出する開口である吐出口２１６を備えている。断熱箱体２０１には、冷蔵室２０２と野菜室２０４とを接続する通路（図示なし）が設けられている。また、冷気通路２０５は野菜室２０４内に開口し、野菜室２０４から冷気通路２０５に冷気が戻る戻り口２１８を備えている。
【００２２】
野菜室２０４の背面の冷気通路２０５の下方には機械室２１７が設けられている。当該機械室２１７の内部には圧縮機１２６が設置されている。さらに機械室２１７には凝縮器２１９、凝縮器ファン２２０を設けてもよい。凝縮器２１９は、平板上のフィン（図示せず）を有し、各フィンを冷媒配管が貫通し、圧縮機１２６を出た高温の冷媒を冷却する。凝縮器ファン２２０は、凝縮器２１９に外気を送る。圧縮機１２６の駆動によって、圧縮機１２６と接続された冷媒配管（図示なし）内を冷媒が流通する。当該冷媒配管を介して圧縮機１２６と接続された蒸発器２０９が冷却される。蒸発器２０９は、平板状のフィン（図示なし）を有し、各フィンを冷媒配管が貫通している。そして、複数のフィンの間に空気を流すことで、当該空気が冷却される。
【００２３】
冷凍室ファン２０７を駆動すると上記冷却された冷気が冷気通路２０５内を流通する。冷気通路２０５を流通する冷気は吐出口２１４から冷凍室２０３の内部に吐出される。吐出口２１４から吐出された冷気は、冷凍室２０３の内部を流通して、冷凍室２０３の内部の貯蔵物を冷却し、戻り口２１５から冷気通路２０５に戻る。すなわち、冷気通路２０５の冷気は、冷凍室２０３の内部を循環し、内部の貯蔵物を冷却し（貯蔵物から熱を受け取って昇温されて）冷気通路２０５に戻る。
【００２４】
ダンパ１２８が開いている場合、冷気通路２０５を流通する冷気は冷気通路２０６に流入する。ダンパ１２８が開いている状態で冷凍室ファン２０７及び冷蔵室ファン２０８を駆動することで、上述のように冷凍室２０３を冷気が循環するとともに冷気通路２０６を流通する冷気が吐出口２１６から冷蔵室２０２内に吐出される。そして、吐出口２１６から吐出された冷気が冷蔵室２０２内を流動することで、冷蔵室２０２内の貯蔵物を冷却する。そして、冷蔵室２０２内を流動した冷気は、野菜室２０４に流入し、野菜室２０４の内部を流動して、野菜室２０４内の貯蔵物を冷却した後、戻り口２１８から冷気通路２０５に戻る。
【００２５】
なお、冷気通路２０５、２０６内の湿気などがダンパ１２８に付着すると、ダンパが凍結するおそれがあるため、例えば、低外気温時などで長時間ダンパ１２８が開けられない状態が続いた場合には、定期的（例えば数十分に１回）に、開→閉と動作させることで凍結を防止することがある。
【００２６】
なお、冷気は冷蔵室２０２を流動するときに貯蔵物から熱を奪うため昇温される。そして、その昇温された冷気が野菜室２０４に流入するため、野菜室２０４は冷蔵室２０２よりも高温となる。
【００２７】
製氷部１３０は水を冷却し氷を製造し、製氷が終了すると氷を外す。製氷用給水ポンプ１３１は氷を外し空になった製氷部１３０に水を供給する。
【００２８】
なお、上記冷蔵庫１０１の構成は一例であって、本実施の形態にかかる冷蔵庫１０１は上記に限定されるわけではない。例えば、上記においては、冷蔵庫１０１が冷蔵室２０２、冷凍室２０３、野菜室２０４の３の貯蔵室を有する場合について説明したが異なる数の貯蔵室を有するように構成してもよいし、ダンパ１２８やファン１２７についても、上記とは異なる数のダンパ１２８やファン１２７を設けるように構成してもよい。
【００２９】
図３は、図１に示す家電機器の制御部の機能的構成の一例を示す図である。図３に示すように、本実施の形態における家電機器１０３の制御部１１１は、機能的に家電機器側識別情報取得部３０１、家電機器側状態情報取得部３０２を含む。
【００３０】
家電機器側識別情報取得部３０１は、家電機器１０３を識別する機器識別情報を取得する。具体的には、例えば、当該識別情報は、ＩＤ１、ＩＤ２、ＩＤ３等で表される。例えば、ラジオがＩＤ１で、風呂用給湯器がＩＤ２で、テレビがＩＤ３で、エアコンがＩＤ４で、スマートフォンがＩＤ５で、睡眠計がＩＤ６、人感センサ付き照明装置がＩＤ７で識別される等である。
【００３１】
家電機器側状態情報取得部３０２は、家電機器１０３の動作状態を表わす状態情報を取得する。ここで、状態情報は、家電機器１０３毎、当該家電機器１０３の動作状態毎に、対応してあらかじめ設定される。具体的には、例えば、状態情報は、家電機器１０３がラジオである場合に、電源をＯＮした状態を表す状態情報ＳＴ１で表される。他の例では、家電機器１０３が風呂用給湯器である場合に、バスルームの操作部が操作されたという状態を表す状態情報ＳＴ２で表される。
【００３２】
図４は、本実施形態における冷蔵庫の制御部の機能的構成の一例を示す図である。図４に示すように冷蔵庫１０１の制御部１２１は、例えば、機能的に識別情報取得部４０１、状態情報取得部４０２、動作手順情報取得部４０３、冷蔵庫制御部４０４を含む。
【００３３】
識別情報取得部４０１は、ネットワーク１０２を介して、家電機器１０３から家電機器１０３を識別する識別情報を取得する。識別情報取得部４０１は、例えば、家電機器１０３がラジオである場合には、ＩＤ１を取得し、家電機器１０３が風呂用給湯器である場合には、ＩＤ２を取得する
【００３４】
状態情報取得部４０２は、家電機器１０３からの状態情報を取得する。具体的には、例えば、ＳＴ１、あるいはＳＴ２等を取得する。ＳＴ１はラジオである家電機器１０３の電源がＯＮしたという情報を表わし、ＳＴ２は風呂用給湯器である家電機器１０３のバスルームの操作部が操作されたことを表わす情報である。
【００３５】
動作手順情報取得部４０３は、冷蔵庫１０１の各ユニット、例えば、凝縮器ファン、圧縮機、ダンパ用モータ等の音を伴う動作の手順の内容を示す動作手順情報を取得する。動作手順情報は、例えば、家電機器からの識別情報、及び状態情報に関連付けられている。具体的には、本実施の形態においては、例えば、図５に示すように、動作手順情報取得部４０３は、識別情報、及び状態情報に基づいて、動作手順情報を取得する。上記例の場合、識別情報：ＩＤ１、及び状態情報：ＳＴ１に、動作手順情報Ｄ１、Ｄ４、Ｄ５が関係付けられているので、動作手順情報取得部４０３は、動作手順情報Ｄ１、Ｄ４、Ｄ５を取得する。また他の例では、識別情報：ＩＤ２、及び状態情報：ＳＴ２に、動作手順情報Ｄ１、Ｄ４、Ｄ５が関係付けられているので、同様に動作手順情報取得部４０３は、動作手順情報Ｄ１、Ｄ４、Ｄ５を取得する。具体的には、例えば、Ｄ１は、凝縮器ファン２２０を通常の動作速度より早い回転数で動作させる、Ｄ４は製氷機から氷を外す、Ｄ５はダンパ用モータを動作させるという情報である。
【００３６】
識別情報、及び状態情報と動作手順情報との関連付けは、上記例に限定されるものではないが、好ましくは、家電機器の識別情報、状態情報に関連させる動作手順情報は、家電機器が発生する音の大きさより、さらに好ましくは、家電機器が発生する音が冷蔵庫近傍に届いたときの大きさより、冷蔵庫各ユニットが発生する音が小さくなる動作手順情報を設定する。冷蔵庫の各ユニットの音の大きさは、例えば、圧縮機が一番大きく、凝縮器ファンや冷凍室ファンなどのファンが次に大きい。製氷機から氷を外す音、ダンパ用モータ、製氷用給水ポンプはこれらに続く。具体的には、例えば、音が比較的大きく冷蔵庫の近くに配置された、換気扇をＯＮすることを表わす識別情報、状態情報に対しては、音の比較的大きな、例えば、凝縮器ファンを通常の動作速度より早い回転数で動作させることを表わす動作手順情報を設定することが好ましい。
【００３７】
また、家電機器が発生する音のうち、冷蔵庫近傍に届いたときの音の大きさが冷蔵庫各ユニットの発生する音よりも小さくなる、家電機器の識別情報、及び状態情報については、図５に示すような動作手順との関連付けを行わない。また、家電機器が発生する音が全て冷蔵庫各ユニットの発生する音よりも小さい場合は、状態情報取得部４０２は当該家電機器からの状態情報を取得しない。これにより、冷蔵庫から遠くに配置した家電機器の状態情報は取得しないようにできるため、情報処理量を削減できる。状態情報を取得する家電機器は図６のように、ユーザが適宜設定するようにしてもよい。図６の例では、冷蔵庫の近傍に「ない」と設定した家電機器の状態情報は取得しない。図６は、状態情報を取得するタッチパネル付き液晶パネルの表示画面の一例である。例えば、タッチパネル付き液晶パネルは冷蔵庫１０１の扉２１１に設けられる。図６の例では、冷蔵庫の近傍に「ある」と設定した家電機器「レンジ」、「換気扇」、「洗濯機」、「テレビ」の状態情報を取得し、「ない」と設定した家電機器「エアコン」の状態情報は取得しない。
【００３８】
冷蔵庫制御部４０４は、取得された動作手順情報に基づいて冷蔵庫を動作させる。具体的には、例えば上記の例の場合、いずれも動作手順情報Ｄ１、Ｄ４、Ｄ５を取得しているので、冷蔵庫制御部４０４は、冷蔵庫１０１をＤ１に対応して凝縮器ファン２２０の回転数を通常回転数より上げ、Ｄ４に対応しては製氷機から氷を外し、Ｄ５に対応してダンパ用モータを動作させる。
【００３９】
図７は、本実施形態における冷蔵庫のフローの一例を示す図である。図７に示すように、識別情報取得部４０１は、家電機器１０３からの識別情報を取得する（Ｓ１０１）。状態情報取得部４０２は、家電機器１０３から状態情報を取得する（Ｓ１０２）。動作手順情報取得部４０３は、識別情報、及び状態情報に基づいて、動作手順情報を取得する（Ｓ１０３）。冷蔵庫制御部４０４は取得された動作手順情報に基づいて冷蔵庫の各ユニット、例えば、凝縮器ファン２２０の回転数を上げる、圧縮機の回転数を上げる、ダンパを動作させる等をさせる（Ｓ１０４）。そして処理を終了する。なお、本実施の形態は、上記のフローに限定されるものではなく、種々の変形が可能である。例えばＳ１０１及びＳ１０２の順序は逆であってもよい。
【００４０】
本実施形態によれば、冷蔵庫が、家電機器１０３の状態に基づく状態情報を取得し、これに基づいて冷蔵庫の音を伴う動作をさせることにより、冷蔵庫の各ユニットが発生する音に対するユーザの不快感を軽減することができる。具体的には、例えば、ラジオである家電機器がＯＮしているときに、この状態を表わす識別情報、状態情報を冷蔵庫が取得し、これに基づき冷蔵庫の各ユニット、例えば、凝縮器ファン、ダンパ用モータ等を動作させる。そして、凝縮器ファン、ダンパ用モータ等から生じる音はラジオの音声により聞こえにくくなる。従って、家電機器の発生する音により、冷蔵庫の各ユニットが発生する音は聞こえにくくなり、ユーザの不快感は軽減される。
【００４１】
また、風呂用給湯器のバスルームの操作部が操作されたことを表わす識別情報、状態情報を冷蔵庫が取得したときは、ユーザは冷蔵庫が設置された部屋にいないと推定される。このような場合に、冷蔵庫の各ユニット、例えば、凝縮器ファンを通常動作より速い回転数で動作させる、ダンパ用モータを動作等しても、ユーザに音はわずかしか聞こえない。従って、冷蔵庫の各ユニットが発生する音による不快感は軽減される。なお、本実施形態では風呂用給湯器で説明したが、これに限定されるものではなく、識別情報、及び状態情報から冷蔵庫が設置された部屋にユーザがいないと推定される状況に適用される。さらに、凝縮器ファンを通常動作より速い回転数で動作させた場合には、凝縮器における熱交換が促進され、冷蔵庫の消費電力低減を図ることもでき得る。
【００４２】
なお、本実施形態では、主にラジオを例に説明したが、これに限定されるものではなく、例えば、家電機器が音を伴い動作する場合、具体的には、掃除機が動作した、洗濯機が動作した、食器洗浄機が洗浄を始めた、電子レンジが加熱を始めた、等を表わす識別情報、状態情報に対し各々動作手順情報を予め設定してもよい。
【００４３】
また、洗濯機、食器洗浄機や電子レンジなどの家電機器では、音を伴う動作が持続する時間の情報を有している場合がある。この場合は、冷蔵庫の音を伴う動作を所定時間は持続させなければならない動作（例えば、蒸発器２０９を除霜し、その後圧縮機１２６を高回転で運転して蒸発器２０９を冷却する、など）を当該所定時間とともに動作手順情報として登録しておく。状態情報取得部４０２は、家電機器１０３からの状態情報を、音を伴う動作が持続する時間の情報とともに取得し、家電機器が発生する音の大きさと持続時間に基づいて、冷蔵庫の音を伴う動作を所定時間は持続させなければならない動作を実行するかを決めても良い。
【００４４】
また他の例では風呂用給湯器で説明したが、これに限定されるものではなく、識別情報、及び状態情報から冷蔵庫が設置された部屋にユーザがいないと推定される状況に適用してもよい。
【００４５】
また、複数の家電機器が動作し、より大きな音を伴う場合にも、冷蔵庫により大きな音を発生する動作させよう予め動作手順情報を設定してもよい。これより、より大きな音を伴う動作冷蔵庫にさせても、ユーザが感じる音に対するユーザの不快感を軽減することができる。その他、動作手順情報を、圧縮機を通常回転数より上げるように予め設定した場合には、より早く冷却できるので、加熱調理した食品を早く冷却したいというユーザの要求を、冷蔵庫の各ユニットが発生する音に対するユーザの不快感を軽減しつつ満たすこともできる。
【００４６】
（第２の実施形態）
【００４７】
次に、本発明の第２の実施形態を説明する。なお、下記において第１の実施形態と同様である点については説明を省略する。
【００４８】
上記第１の実施形態と同様に、本実施の形態における冷蔵庫１０１の制御部１２１は、機能的に、例えば、識別情報取得部４０１、状態情報取得部４０２、動作手順情報取得部４０３、冷蔵庫制御部４０４を含む。
【００４９】
識別情報取得部４０１は、家電機器１０３からの識別情報を取得する。例えば、識別情報取得部４０１は、識別情報、例えば、ＩＤ３を取得する。ＩＤ３は、例えば、家電機器１０３がテレビであることを表わす情報である。
【００５０】
状態情報取得部４０２は、家電機器１０３から家電機器１０３の動作状態を表わす状態情報を取得する。本実施形態の状態情報はテレビが受信している番組のジャンルを表わす情報を含む。状態情報取得部４０２は、例えばＳＴ２を取得する。ＳＴ２は例えば、テレビでスポーツジャンルの番組を受信していることを表わす情報である。その他、ＳＴ３は、例えばテレビで映画ジャンルの番組を受信していることを表わす情報である。番組のジャンルは、例えばテレビ放送を放送する際に番組情報の一つとしてデータ放送されるのでこれを利用すれば良い。
【００５１】
動作手順情報取得部４０３は、冷蔵庫１０１の各ユニット、例えば、凝縮器ファン、圧縮機、ダンパ等の動作手順を示す動作手順情報を取得する。動作手順情報は、家電機器からの識別情報、及び状態情報に関連付けられている。例えば、比較的大きな音で受信するジャンルに対しては、大きな音あるいは小さな音を伴う冷蔵庫の各ユニットの動作を示す動作手順情報を関連付けてよいが、比較的静かな環境で受信したいジャンルに対しては小さな音を伴う冷蔵庫の各ユニットの動作を示す、または、動作音を伴う冷蔵庫の各ユニットの動作を延期する等の動作手順情報を関連付ける。具体的には、本実施の形態においては、例えば、動作手順情報取得部４０３は、識別情報、及び状態情報に基づいて、動作手順情報を取得する。動作手順情報取得部４０３は、例えば、図８に示すように、識別情報、及び状態情報に関連付けられた動作手順情報を取得する。図８の一例では、識別情報：ＩＤ３、状態情報：ＳＴ３に対し、動作手順情報Ｄ１、Ｄ４、Ｄ５が関係付けられているので、動作手順情報取得部４０３は、動作手順情報Ｄ１、Ｄ４、Ｄ５を取得する。Ｄ１は、例えば、凝縮器ファン２２０を通常の動作速度より早い回転数で動作させ、Ｄ４は、例えば、製氷機から氷を外す、Ｄ５は、例えば、ダンパ用モータを動作させるという情報である。図８の他の例では識別情報：ＩＤ３、状態情報：ＳＴ４に対し、動作手順情報Ｄ０が関係付けられているので、動作手順情報取得部４０３は、動作手順情報Ｄ０を取得する。動作手順情報Ｄ０は例えば、除霜を所定時間延期することを表わす情報である。
【００５２】
冷蔵庫制御部４０４は、取得された動作手順情報に基づいて冷蔵庫を動作させる。具体的には、上記例では、状態情報がＳＴ３（スポーツジャンルの番組を受信している）のときはＤ１、Ｄ４、Ｄ５を取得しているので、冷蔵庫制御部４０４は、Ｄ１に対応して凝縮器ファンの回転数を通常回転数より上げ、Ｄ４に対応して製氷機から氷を外し、Ｄ５に対応してダンパ用モータを動作させる。一方、状態情報がＳＴ４（映画ジャンルの番組を受信している）のときは、Ｄ０を取得しているので、冷蔵庫制御部４０４は、Ｄ０に対応して、冷蔵庫制御部は所定時間除霜を延期する。
【００５３】
図６に示す第１の実施形態のフローと同様に、識別情報取得部４０１は、家電機器１０３からの識別情報を取得する（Ｓ１０１）。状態情報取得部４０２は状態情報を取得する。本実施形態では状態情報はテレビが受信する番組のジャンルを表わす情報である（Ｓ１０２）。動作手順情報取得部４０３は、識別情報、及び状態情報に基づいて、冷蔵庫１０１の各ユニット、例えば、凝縮器ファン、圧縮機、ダンパ等の動作手順を示す動作手順情報を取得する（Ｓ１０３）。冷蔵庫制御部４０４は、取得された動作手順情報に基づいて冷蔵庫を動作させる（Ｓ１０４）。そして処理を終了する。
【００５４】
本実施形態によれば、例えば、比較的大きな音で受信するジャンルに対しては、大きな音あるいは小さな音を伴う冷蔵庫の各ユニットの動作を示す動作手順情報を関連付け、比較的静かな環境で受信したいジャンルに対しては小さな音を伴う冷蔵庫の各ユニットの動作を示す、または、動作音を伴う冷蔵庫の各ユニットの動作を延期する等の動作手順情報を関連付けることにより、冷蔵庫の各ユニットが発生する音に対するユーザの不快感を軽減することができる。具体的には、例えば比較的大きな音で受信するスポーツジャンルの番組を受信することを表わす状態情報ＳＴ３のときに、冷蔵庫１０１の各ユニット、例えば、凝縮ファンを通常の動作速度より早い回転数で動作させ、製氷機から氷を外し、ダンパ用モータを動作させる動作手順情報を設定する。この場合、比較的大きな音のスポーツジャンルの番組のテレビの音と冷蔵庫の各ユニットが発生する音と同時に聞こえるので、冷蔵庫の各ユニットが発生する音は聞こえにくくなり、ユーザの不快感は軽減される。一方で、静かな状態で受信したい、例えば、映画ジャンルの番組を受信することを表わす状態情報ＳＴ４のときには、冷蔵庫制御部は除霜を所定時間延期させることを表わす動作手順情報を設定することで、ユーザの視聴を冷蔵庫の音が妨げること回避し得る。このように受信する番組のジャンルに応じ、動作手順情報を関連付けることで、音に対するユーザの不快感を軽減することができる。
【００５５】
本実施形態においても、第１の実施形態と同様に、比較的大きな音で受信するジャンルを受信する時間の情報を得ることができる場合は、ユーザが当該番組を最後まで視聴すると推定して、冷蔵庫の音を伴う動作が番組の終了までには終わらせることができる動作手順を設定することができる。
【００５６】
（第３の実施形態）
【００５７】
次に、本発明の第３の実施形態を説明する。なお、下記において第１の実施形態と同様である点については説明を省略する。
【００５８】
図９は、図１に示す家電機器１０３の制御部１１１の機能的構成の一例を示す図である。図９に示すように、本実施の形態における家電機器１０３の制御部１１１は、機能的に家電機器側識別情報取得部３０１、家電機器側状態情報取得部３０２、家電機器側室温情報取得部５０１を含む。
【００５９】
家電機器側識別情報取得部３０１は、家電機器１０３を識別する機器識別情報を取得する。具体的には、例えば、当該識別情報は、ＩＤ４等で表される。例えば、エアコンがＩＤ４で識別される等である。
【００６０】
家電機器側状態情報取得部３０２は、家電機器１０３の動作状態を表わす状態情報を取得する。例えば、家電機器１０３の電源がＯＦＦされた状態を表す状態情報を取得する。具体的には、例えば、状態情報は、家電機器１０３であるエアコンの電源がＯＦＦしているという状態を表す状態情報ＳＴ５で表される。
【００６１】
家電機器側室温情報取得部５０１は、家電機器１０３が設置されている場所の室温を示す室温情報を取得する。例えば、家電機器１０３であるエアコンの周囲の温度を表わす室温情報を取得する。具体的には、例えば３６℃である。
【００６２】
図１０は、本実施の形態における冷蔵庫１０１の制御部１２１の機能的構成の一例について説明するための図である。図１０に示すように、本実施の形態における冷蔵庫１０１の制御部１２１は、機能的に、例えば、識別情報取得部４０１、状態情報取得部４０２、動作手順情報取得部４０３、冷蔵庫制御部４０４、室温情報取得部６０１、室温情報判定部６０２を含む。
【００６３】
室温情報取得部６０１は、家電機器１０３から室温情報を取得する。例えば、上記の例では室温情報取得部６０１は、家電機器１０３であるエアコンから室温情報を取得する。上記の例では室温情報は３６℃を表わす情報である。
【００６４】
室温情報判定部６０２は、室温情報取得部６０１が取得した室温情報が予め設定された温度より高いか否かを判定する。例えば、予め設定した温度が３５℃の場合、上記の例では室温情報は３６℃を表わす情報であるので、室温情報が予め設定された温度より高いと判断する。
【００６５】
識別情報取得部４０１は、室温情報判定部６０２が、取得した室温情報が予め設定された温度より高いと判定した場合に、家電機器１０３からの識別情報を取得する。例えば、家電機器１０３がエアコンである場合に、識別情報取得部４０１は、識別情報ＩＤ４を取得する。ＩＤ４は、例えば、家電機器がエアコンであることを表わす情報である。
【００６６】
状態情報取得部４０２は、室温情報判定部６０２が、取得した室温情報が予め設定された温度より高いと判定した場合には、家電機器１０３から受け取った情報を状態情報として取得する。具体的には、上記の例では、状態情報取得部４０２は、例えば、ＳＴ５を取得する。ＳＴ５はエアコンである家電機器の電源がＯＦＦであることを表わす情報である。
【００６７】
動作手順情報取得部４０３は、冷蔵庫１０１の各ユニット、例えば、凝縮器ファン、圧縮機、ダンパ等の動作手順を示す動作手順情報を取得する。例えば、動作手順情報取得部４０３は、図１１に示すように、識別情報、状態情報、及び室温判定情報に関連付けられた動作手順情報を取得する。上記例の場合、識別情報：ＩＤ４、状態情報：ＳＴ５に、動作手順情報Ｄ１、Ｄ２、Ｄ３、Ｄ４、Ｄ５が関係付けられているので、動作手順情報取得部４０３は、動作手順情報Ｄ１、Ｄ２、Ｄ３、Ｄ４、Ｄ５を取得する。例えば、Ｄ１は、凝縮器ファン２２０を通常の動作速度より早い回転数で動作させる、Ｄ２は圧縮機の回転数を通常回転数より上げる、Ｄ３は除霜を行う、Ｄ４は製氷機から氷を外す、Ｄ５はダンパ用モータを動作させる等であるという情報である。
【００６８】
冷蔵庫制御部４０４は、取得された動作手順情報に基づいて冷蔵庫を動作させる。具体的には、上記例では、動作手順情報Ｄ１、Ｄ２、Ｄ３、Ｄ４、Ｄ５を取得しているので、冷蔵庫制御部４０４はＤ１に対応して凝縮器ファン２２０を通常の動作速度より早い回転数で動作させ、Ｄ２に対応して圧縮機の回転数を通常回転数より上げ、Ｄ３に対応して除霜を行い、Ｄ４に対応して製氷機から氷を外し、Ｄ５に対応してダンパ用モータを動作させる。
【００６９】
図１２は、本実施形態における冷蔵庫のフローの一例を示す図である。図１２に示すように、まず、室温情報取得部６０１は、家電機器１０３から室温情報を取得する（Ｓ２０１）。室温情報判定部６０２は、室温情報取得部６０１が取得した室温情報が予め設定された温度より高いか否かを判定する（Ｓ２０２）。室温情報が予め設定された温度より高い場合には、識別情報取得部４０１は、家電機器１０３からの識別情報を取得する（Ｓ２０３）。一方、室温情報が予め設定された温度以下の場合には、再び、Ｓ２０１に戻る（Ｓ２０１）。状態情報取得部４０２は、家電機器１０３から受け取った情報、室温情報が所定温度より高いことを表わす情報と、を一つの状態情報として取得する（Ｓ２０４）。動作手順情報取得部４０３は、識別情報、及び状態情報に関連付けられた冷蔵庫１０１の動作手順を示す動作手順情報を取得する。冷蔵庫制御部４０４は、取得された動作手順情報に基づいて冷蔵庫を動作させる（Ｓ２０６）。そして処理を終了する。なお、本実施の形態は、上記、第１の実施形態、第２の実施形態と組み合わせて用いてもよい。この場合、例えば、Ｓ２０１の室温情報取得、Ｓ２０２の室温情報の判定は、Ｓ２０３の識別情報取得、Ｓ２０４の状態情報取得の後に実行する。
【００７０】
本実施形態によれば、例えば、状態情報を取得し、これに基づいて、冷蔵庫を動作させることにより、冷蔵庫の各ユニットが発生する音に対するユーザの不快感を軽減することができる。具体的には、例えば、室温が３５℃を超え且つエアコンの電源がＯＦＦしているときに、冷蔵庫１０１の凝縮ファン、圧縮機等を通常の動作速度より早い回転数で動作させる。このような場合に、冷蔵庫が音を発生させたとしても、冷蔵庫が設置された部屋にはユーザがいないと推定されることから、ユーザは冷蔵庫が発生する音を聞く場合は少なく、ユーザが感じる音に対する不快感を軽減することができうる。なお、室温が５℃以下で且つエアコンの電源がＯＦＦしているときにも冷蔵庫が音を発生する動作をさせてもよい。すなわち、本実施形態によれば、一般的に人が快適に過ごせる室温範囲を超えているにもかかわらず、エアコンの電源がＯＦＦしているときには、ユーザがいないと推定されるため、冷蔵庫の各ユニットが発生する音に対するユーザの不快感を軽減することができる。なお、上記の室温はユーザが設定できるようにしてもよく、また、時刻や湿度などと連携して設定されていてもよい。また、本実施形態では、温度情報を家電機器から取得する例で説明したが、温度情報を冷蔵庫１０１で取得してもよい。
【００７１】
（第４の実施形態）
【００７２】
次に、本発明の第４の実施形態を説明する。なお、下記において第１の実施形態と同様である点については説明を省略する。
【００７３】
図１３は、図１に示す家電機器であるスマートフォンの制御部の機能的構成の一例を示す図である。図１３に示すように、本実施の形態における家電機器１０３の制御部１１１は、機能的に家電機器側位置情報要求受信部７０１、家電機器側位置情報取得部７０２、家電機器側位置情報送信部７０３を含む。
【００７４】
家電機器側位置情報要求受信部７０１は、冷蔵庫１０１から送られる後述する位置情報要求を受信する。位置情報要求は、例えば、スマートフォンの地理的位置を示す位置情報を冷蔵庫１０１に送信することを求める要求である。
【００７５】
家電機器側位置情報取得部７０２は、家電機器側位置情報要求受信部７０１が、位置情報要求を受信すると、スマートフォンが存在する地理的位置を示す位置情報を、例えば、ＧＰＳを用いて取得する。位置情報を取得する手段は、ＧＰＳに限らず、基地局からの電波状態から位置情報を取得する手段、加速度センサを用いて加速度を積分して位置情報を取得する手段等を用いることができる。
【００７６】
家電機器側位置情報送信部７０３は、家電機器側位置情報取得部７０２が取得した位置情報を、冷蔵庫１０１に送信する。
【００７７】
図１４は、本実施の形態における冷蔵庫の制御部の機能的構成の一例について説明するための図である。図１４に示すように、本実施の形態における冷蔵庫１０１の制御部１２１は、機能的に、例えば、位置情報要求部８０１、位置情報取得部８０２、距離情報判定部８０３、動作手順情報取得部４０３、冷蔵庫制御部４０４を含む。
【００７８】
位置情報要求部８０１は、スマートフォンに対し、スマートフォンが存在する地理的位置を示す位置情報を冷蔵庫１０１に対し送るように要求する。当該要求は、例えば、定期的にスマートフォンに要求すればよいが、これに限定されるものではなく、予め設定したタイミングで要求してもよい。
【００７９】
位置情報取得部８０２は、冷蔵庫１０１がスマートフォンに送った位置情報要求に対応して送られるスマートフォンの位置を表わす位置情報を取得する。
【００８０】
距離情報判定部８０３は、冷蔵庫１０１からスマートフォンまでの距離を表わす、距離情報を取得し、所定値以上のであるか否かで判定する。具体的には、例えば、予め設定される冷蔵庫１０１の位置情報と、位置情報取得部８０２で取得されたスマートフォンの位置情報とから距離情報を求め、所定値以上のであるか否か判定する。当該距離が所定値以上の場合には、ＳＴ６と判定する。なお、冷蔵庫１０１が設置されている住居に複数のユーザが居住する場合は、全員について位置情報、距離情報を取得し、全員が不在である場合に、ユーザは不在であると判断しても良い。
【００８１】
識別情報取得部４０１は、家電機器１０３からの識別情報を取得する。例えば、識別情報取得部４０１は、識別情報ＩＤ４を取得する。ＩＤ４は、例えば、家電機器がスマートフォンであることを表わす情報である。なお、本実施形態では既に冷蔵庫１０１からスマートフォンである家電機器１０３に対し、スマートフォンが存在する地理的位置を示す位置情報を冷蔵庫１０１に対し送るように要求していることから、冷蔵庫１０１の制御部１２１は既に家電機器１０３がスマートフォンであることは得ており、ここから識別情報を取得してもよい。
【００８２】
状態情報取得部４０２は、距離情報判定部８０３が、距離情報が所定値以上のであると判定した場合に、家電機器１０３から受け取った情報を処理して得た情報を状態情報として取得する。例えば、家電機器１０３であるスマートフォンから得た距離情報から距離情報判定部８０３が判定した結果から得る。具体的には、例えば、状態情報取得部４０２は、状態情報ＳＴ６を取得する。ＳＴ６は、スマートフォンの位置情報から求めた距離情報が、所定値以上のであることを示す情報である。
【００８３】
動作手順情報取得部４０３は、冷蔵庫１０１の各ユニット、例えば、凝縮器ファン、圧縮機、ダンパ等の動作手順を示す動作手順情報を取得する。例えば、動作手順情報取得部４０３は、図１５に示すように、識別情報、及び状態情報に関連付けられた動作手順情報を取得する。上記例の場合、識別情報：ＩＤ５、状態情報：ＳＴ６に、動作手順情報Ｄ１、Ｄ３、Ｄ４、Ｄ５が関係付けられているので、動作手順情報取得部４０３は、動作手順情報Ｄ１、Ｄ３、Ｄ４、Ｄ５を取得する。例えば、Ｄ１は、凝縮器ファン２２０を通常の動作速度より早い回転数で動作させる、Ｄ３は除霜を行う、Ｄ４は製氷機から氷を外す、Ｄ５はダンパ用モータを動作させる等であるという情報である。
【００８４】
冷蔵庫制御部４０４は、取得された動作手順情報に基づいて冷蔵庫を動作させる。具体的には、例えば、冷蔵庫制御部４０４は、取得された動作手順情報に基づいて、冷蔵庫１０１を動作させる。上記の例の場合、動作手順情報Ｄ１、Ｄ３、Ｄ４、Ｄ５を取得しているため、冷蔵庫制御部４０４はＤ１に対応して凝縮器ファンの回転数を通常回転数より上げ、Ｄ３に対応して除霜を行い、Ｄ４に対応して製氷機から氷を外し、Ｄ５に対応してダンパ用モータ用モータを動作させる等である。
【００８５】
図１６は、本実施形態における冷蔵庫のフローの一例を示す図である。図１６に示すように、位置情報要求部８０１は、スマートフォンに対し、スマートフォンが存在する地理的位置を示す位置情報を冷蔵庫１０１に対し送るように要求する。（Ｓ３０１）。位置情報取得部８０２は、冷蔵庫１０１がスマートフォンに送った位置情報要求に対応して送られるスマートフォンの位置を表わす位置情報を取得する（Ｓ３０２）。距離情報判定部８０３は、冷蔵庫１０１からスマートフォンまでの距離を表わす、距離情報を取得し、所定値以上のであるか否かを判定する（Ｓ３０３）。識別情報取得部４０１は、距離情報判定部８０３が、距離情報が所定値以上と判定した場合には、家電機器１０３からの識別情報を取得する（Ｓ３０４）。一方、Ｓ３０３で、距離情報判定部８０３が、距離情報が所定値より小さいと判定した場合には、再びＳ３０１を実行する（Ｓ３０１）。状態情報取得部４０２は、家電機器１０３から受け取った情報を処理して得た情報を状態情報として取得する。本実施形態では、状態情報ＳＴ６を取得する。ＳＴ６は、スマートフォンの位置情報から求めた距離情報が、所定値以上のであることを示す情報である。（Ｓ３０５）。動作手順情報取得部４０３は、識別情報、及び状態情報に基づき冷蔵庫１０１の各ユニット、例えば、冷蔵庫１０１の各ユニットの動作手順を示す動作手順情報を取得する（Ｓ３０６）。冷蔵庫制御部４０４は、取得された動作手順情報に基づいて冷蔵庫を動作させる（Ｓ３０７）。そして処理を終了する。なお、本実施の形態は、上記、第１の実施形態、第２の実施形態、第３の実施形態と組み合わせて用いてもよい。この場合、例えば、Ｓ３０１からＳ３０３の処理は、Ｓ３０４とＳ３０５の後に実行する。
【００８６】
本実施形態によれば、例えば、スマートフォンの位置情報より求めた距離情報は所定値以上か否かに基づき、冷蔵庫を動作させることにより、冷蔵庫の各ユニットが発生する音に対するユーザの不快感を軽減することができる。具体的には、例えば、ユーザの携帯端末の位置情報から求めた距離情報が所定値以上であればユーザは外出し、冷蔵庫が設置された住居にはいないと推定される。このような場合に、冷蔵庫の各ユニット、例えば、凝縮器ファンを通常動作より速い回転数で動作させる、ダンパ用モータを動作させる等しても、ユーザに音は聞こえない。従って、冷蔵庫の各ユニットの音による不快感は軽減される。
【００８７】
さらに、本実施形態によれば、ユーザは外出し、所定の時間は冷蔵庫が設置された部屋にはいない。このような場合に時間を要する動作、例えば、所定時間内に除霜を行えば、ユーザが感じる冷蔵庫が発生する音に対する不快感を軽減することができる。具体的には、例えば、除霜は、蒸発器から着霜した霜を融かす段階では音を伴わないが、霜が融け終わった後には、冷蔵庫は一定期間、圧縮機を高い回転数で動作させて、冷蔵庫内の温度を通常の温度に復帰させる場合がある。このような一定の時間を要する動作をユーザが外出中に行えば、ユーザが感じる音による不快感を軽減することができる。さらに、距離情報に応じ、動作手順情報を設定してもよい。
【００８８】
なお、上記の例では冷蔵庫から、スマートフォンへ位置情報を要求する例で説明したが、これに限定されるものではなく、例えば、所定のタイミングでスマートフォンから冷蔵庫に対して位置情報を送るようにしてもよい。また、上記例ではスマートフォンを一例に説明したが、これに限定されるものではなく、位置情報を取得できる携帯情報端末等でもよい。
【００８９】
（第５の実施形態）
【００９０】
次に、本発明の第５の実施形態を説明する。なお、下記において第１の実施形態と同様である点については説明を省略する。
【００９１】
上記第１の実施形態と同様に、本実施の形態における冷蔵庫１０１の制御部１２１は、機能的に、例えば、識別情報取得部４０１、状態情報取得部４０２、動作手順情報取得部４０３、冷蔵庫制御部４０４を含む。
【００９２】
上記第１の実施形態と同様に、識別情報取得部４０１は、家電機器１０３からの識別情報を取得する。例えば、識別情報取得部４０１は、ＩＤ６とＩＤ７を取得する。ＩＤ６は、例えば家電機器１０３が睡眠状態を計測する睡眠計であることを表わす情報である。睡眠計は、例えば、心拍センサ、加速度センサ等の検知データから睡眠計を装着した人間の睡眠状態を計測する。ＩＤ７は、例えば家電機器１０３が、冷蔵庫１０１が置かれた部屋の人間の存否を検出する人感センサを備えた機器を表わす情報である。人感センサを備えた機器は、例えば、人感センサにより人間が発する赤外線を検知し、人間の存否を判定し室内温度や湿度などを制御する空調機器である。
【００９３】
状態情報取得部４０２は、家電機器１０３からの状態情報を取得する。例えば、状態情報取得部４０２は、ＳＴ６とＳＴ７を取得する。ＳＴ６は睡眠計が睡眠計を装着した人間が睡眠中であること検知していることを表わす情報である。ＳＴ７は人感センサ付き機器が、冷蔵庫１０１が置かれた部屋に人が居ることを検知したことを表わす情報である。
【００９４】
動作手順情報取得部４０３は、２以上の家電機器からの状態情報に基づいて、冷蔵庫１０１の動作手順を示す動作手順情報を取得する。動作手順情報は、２以上の家電機器からの識別情報及び状態情報に関連付けられている。例えば、動作手順情報取得部４０３は、図１７に示すように、識別情報、及び状態情報が関連付けられた動作手順情報を取得する。上記例の場合、識別情報：ＩＤ６、ＩＤ７、状態情報：ＳＴ６、ＳＴ７は、動作手順情報Ｄ０に関係付けられているので、動作手順情報取得部４０３は、動作手順情報Ｄ０を取得する。Ｄ０は、例えば、除霜を所定時間延期することを表わす情報である。
【００９５】
冷蔵庫制御部４０４は、取得された動作手順情報、または就寝時動作手順情報に基づいて冷蔵庫を動作させる。具体的には、例えば、冷蔵庫制御部４０４は、取得された動作手順情報に基づいて、冷蔵庫１０１を動作させる。具体的には、上記動作手順情報を取得した例では、動作手順情報Ｄ０を取得しているので、冷蔵庫制御部４０４は、Ｄ０に対応して除霜を所定時間延期させる。
【００９６】
本実施形態における冷蔵庫のフローは第１の実施形態と同様に、識別情報取得部４０１は、２以上の家電機器１０３からの識別情報、例えば、ＩＤ６とＩＤ７を取得する（Ｓ４０１）。状態情報取得部４０２は、２以上の家電機器１０３からの状態情報、例えば、ＳＴ６とＳＴ７を取得する（Ｓ４０２）。識別情報、状態情報を基礎に、動作手順情報取得部４０３は、冷蔵庫１０１の各ユニット、の動作手順を示す動作手順情報を取得する。上記の例では、識別情報ＩＤ６、ＩＤ７と状態情報ＳＴ６、ＳＴ７に基づき、動作手順情報Ｄ０を取得する（Ｓ４０３）。冷蔵庫制御部４０４は、取得された動作手順情報に基づいて冷蔵庫を動作させる（Ｓ４０４）。そして処理を終了する。
【００９７】
本実施形態によれば、複数の識別情報、状態情報を取得して、これら組み合わせに基づいて、動作手順情報を関連付け、冷蔵庫を動作させることにより、冷蔵庫の各ユニットが発生する音に対するユーザの不快感を軽減することができる。具体的には、例えば、睡眠計によりユーザが睡眠中であるという状態と、人感センサ付き機器が、冷蔵庫が置いてある部屋に人が居る状態を検知したことを表わす情報を取得し、これらの状態に関連付けて、動作手順情報Ｄ０を設定する。Ｄ０は冷蔵庫の除霜を所定時間、例えば、ユーザの睡眠時間延期することを表わす情報である。従って冷蔵庫が設置してある部屋にユーザが寝ていたとしても、冷蔵庫が動作してユーザの睡眠を妨げることがなく、音に対するユーザの不快感を軽減することができる。
【００９８】
なお、上記例では除霜を延期する例で説明したが、睡眠を妨げるおそれのある製氷機から氷を外す、製氷用給水ポンプを動作させる等の動作を所定時間延期する等してもよい。また、上記例では家電機器１０３として睡眠計や空調機器を例に説明したが、これに限定されるものではない。また、人感センサが人間の在否を検知する範囲は、冷蔵庫が置いてある部屋に限るものではなく、冷蔵庫が置いてある部屋の隣の部屋など、冷蔵庫の動作音によってユーザの睡眠を妨げる範囲を検知することが好ましい。
【００９９】
また、人感センサ付き機器に代えて、冷蔵庫１０１が置かれた部屋の照明装置のＯＮ／ＯＦＦを検出してもよい。この場合は、図１８のように、ユーザが就寝する場所と冷蔵庫との位置関係を予め設定しておく。ユーザが冷蔵庫の近くで就寝する場合には、睡眠計によりユーザが睡眠中であるという状態と、照明装置がＯＦＦしているという情報を取得し、これらの状態に関連付けて、動作手順情報Ｄ０を設定する。ユーザが冷蔵庫の近くで就寝しない場合には、ユーザが睡眠中であるときに冷蔵庫を静かにする必要がないため、動作音を伴う、例えば、凝縮器ファン２２０を通常の動作速度より早い回転数で動作させることを示す動作手順情報Ｄ１を設定してもよい。
【０１００】
本発明は、上記実施の形態に限定されるものではなく、種々の変形が可能である。例えば、上記実施の形態で示した構成と実質的に同一の構成、同一の作用効果を奏する構成又は同一の目的を達成することができる構成で置き換えることができる。また、スマートフォンの位置情報を冷蔵庫からの要求に基づきスマートフォンから送ったが、スマートフォンから冷蔵庫が設置された住居の鍵の施錠を確認するに際して位置情報を取得してもよい。
【０１０１】
また、冷蔵庫が動作するに伴って発生する音の継続時間は冷蔵庫の各ユニットにより異なる。例えば、圧縮機動作、凝縮ファン動作は所定の時間継続する。一方、製氷機から氷を外す、ダンパ用モータを動作させる、製氷用給水ポンプ動作させる等は、短時間で終了する。このような冷蔵庫の発生する音の継続時間に合わせ、動作手順情報を設定してもよい。例えば、テレビコマーシャル中であることを表わす状態情報を、製氷機から氷を外すことをコマーシャルが開始されるまで延期して、コマーシャル中に、製氷機から氷を外す動作手順情報に関連付けて保持し、当該状態情報が取得された場合に、当該動作手順情報が取得して製氷機から氷を外すように制御させる。これによりテレビ番組の放送中に製氷機から氷を外され、テレビ番組の視聴が当該音により妨げられることをより効果的に防止することができる。その他、製氷機から氷を外す動作手順情報にかえて、冷蔵庫の各部の音を発生する動作、例えば、ダンパ用モータの動作についても同様に構成してもよい。
【０１０２】
例えば、本実施の形態は、互いに矛盾しない限り、上記第１乃至第５の実施形態や上記各変形例と組み合わせて用いてもよい。
【符号の説明】
【０１０３】
１００  冷蔵庫システム、１０１  冷蔵庫、１０２  ネットワーク、１０３  家電機器、１１１  制御部、１１２  記憶部、１１３  通信部、１１４  操作部、１１５  表示部、１２１  制御部、１２２  記憶部、１２３  通信部、１２４  操作部、１２５  表示部、１２６  圧縮機、１２７  ファン、１２８  ダンパ、１２９  除霜部、１３０  製氷部、１３１  製氷用給水ポンプ、２０１  断熱箱体、２０２  冷蔵室、２０３  冷凍室、２０４  野菜室、２０５，２０６  冷気通路、２０７  冷凍室ファン、２０８  冷蔵室ファン、２０９  蒸発器、２１０  ヒータカバー、２１１，２１２，２１３  扉、２１４，２１６  吐出口、２１５，２１８  戻り口、２１７  機械室、２１９  凝縮器、２２０  凝縮器ファン、３０１  家電機器側識別情報取得部、３０２  家電機器側状態情報取得部、４０１  識別情報取得部、４０２  状態情報取得部、４０３  動作手順情報取得部、４０４  冷蔵庫制御部、５０１  家電機器側室温情報取得部、６０１  室温情報取得部、６０２  室温情報判定部、７０１  家電機器側位置情報要求受信部、７０２  家電機器側位置情報取得部、７０３  家電機器側位置情報送信部、８０１  位置情報要求部、８０２  位置情報取得部、８０３  距離情報判定部
【図１】
2020003164.tif 000003
【図２Ａ】
2020003164.tif 000004
【図２Ｂ】
2020003164.tif 000005
【図３】
2020003164.tif 000006
【図４】
2020003164.tif 000007
【図５】
2020003164.tif 000008
【図６】
2020003164.tif 000009
【図７】
2020003164.tif 000010
【図８】
2020003164.tif 000011
【図９】
2020003164.tif 000012
【図１０】
2020003164.tif 000013
【図１１】
2020003164.tif 000014
【図１２】
2020003164.tif 000015
【図１３】
2020003164.tif 000016
【図１４】
2020003164.tif 000017
【図１５】
2020003164.tif 000018
【図１６】
2020003164.tif 000019
【図１７】
2020003164.tif 000020
【図１８】
2020003164.tif 000021